(57)【要約】【課題】従来のガスタービンでは、衝撃波損失によるタービン効率の低下を確実に防ぐことが考慮されていない。【解決手段】最終段静翼の流出角比である、チップ側流出角／ハブ側流出角が、０．８５以上である。この結果、最終段静翼のチップ側が最終段の圧力比の大部分を受け持ち、最終段動翼のチップ側の圧力比を小さくすることができる。このために、最終段動翼におけるマッハ数を小さく抑制することができ、衝撃波損失によるタービン効率の低下を確実に防ぐことができる。【選択図】      図１
2006291975.tif 000002
【特許請求の範囲】
【請求項１】
複数段の静翼と複数段の動翼とを備え、圧力比が２０以上で運転するガスタービンにおいて、
最終段静翼の流出角比である、チップ側流出角／ハブ側流出角が、０．８５以上であり、
最終段動翼の流出側のボス比である、ハブ半径／チップ半径が、０．４以上０．６５以下である、
ことを特徴とするガスタービン。
【請求項２】
最終段の平均反動度が０．３以上０．６以下である、ことを特徴とする請求項１に記載のガスタービン。
【請求項３】
最終段動翼の背面のスロートから後縁までの曲率である、ピッチ／スロートから後縁までの背面の曲率半径が、０以上０．１５以下である、ことを特徴とする請求項１に記載のガスタービン。
【発明の詳細な説明】
【技術分野】
【０００１】
この発明は、圧力比が２０以上で運転するガスタービンに係り、特に、衝撃波損失によるタービン効率の低下を確実に防ぐことができるガスタービンに関するものである。
【背景技術】
【０００２】
ガスタービンについて、図７を参照して説明する。ガスタービンは、一般に、ケーシング（翼環ないし車室など）１に円環に配列された複数段（この例では４段）の静翼１Ｃ〜４Ｃと、ロータ（ハブないしベースなど）２に円環に配列された複数段（この例では４段）の動翼１Ｓ〜４Ｓとを備える。なお、図７は、１段の静翼１Ｃおよび動翼１Ｓと、４段、すなわち、最終段の静翼４Ｃおよび動翼４Ｓ（実線の長円で囲まれた部分）とが図示されている。
【０００３】
近年、ガスタービンにおいては、たとえば、全段の圧力比が２０以上と大きく（π≧２０）、かつ、タービン入口ガス温度が１４５０°Ｃ以上と高温である（ＴＩＴ≧１４５０°Ｃ）ガスタービンが主流となっている。このガスタービンにおいては、最終段の圧力比が必然的に２．０以上と大きくなる（π≧２）。
【０００４】
前記最終段の圧力比が２．０以上と大きくなると、図８に示すように、最終段動翼４Ｓの平均流出マッハ数（Ｍ２）が０．９５以上から１．２以下の範囲となる（０．９５≦Ｍ２≦１．２）。このために、衝撃波損失によって、最終段動翼４Ｓの全圧損失係数が急増する領域に入る。このことは、タービン効率の低下を意味することとなる。なお、図８において、矢印Ａ方向のマッハ数がＭ２＜０．９５の範囲は、低負荷の従来の発電用ガスタービン、航空用ガスタービンの範囲を示す。また、矢印Ｂ方向のマッハ数がＭ２＞１．２の範囲は、蒸気タービンの範囲を示す。
【０００５】
以下、前記衝撃波によるタービン効率の低下のメカニズムを図９、図１０（Ａ）および（Ｂ）を参照して説明する。前記最終段動翼４Ｓは、前縁３と、後縁４と、前記前縁３と前記後縁４を結ぶ腹面５および背面６とから構成されている。なお、図９において、白抜き矢印は、最終段動翼４Ｓの回転方向を示す。また、図１０（Ａ）は最終段動翼のチップ側の断面の説明図、図１０（Ｂ）は最終段動翼のチップ側における翼表面マッハ数分布の説明図である。
【０００６】
全段の圧力比が大きくなると、最終段の圧力比が大きくなり、最終段動翼４Ｓにおけるマッハ数が大きくなる。特に、図１０（Ｂ）の翼表面マッハ数分布に示すように、最終段動翼４Ｓの背面６側のマッハ数が大きくなる。そのマッハ数が１を超えると、図９に示すように、衝撃波７が発生する。この衝撃波７の発生により、最終段動翼４Ｓの背面６側のうち、前記衝撃波７の後から後縁４までの範囲において、境界層８（図９および図１０（Ａ）中の斜線が施された部分）が発生する。この境界層８は、前記マッハ数の増大に伴なって肥大する。この境界層８の肥大化により、圧力損失が大きくなって、タービン効率が低下する。すなわち、前記境界層８により、燃焼ガスＧの流れが乱れて、タービン効率が低下する。
【０００７】
前記衝撃波によるタービン効率の低下は、前記最終段動翼４Ｓのうち、特に、チップ側の部分（たとえば、図７中、破線の長円で囲まれた部分）において、顕著に現れる。
【０００８】
この種のガスタービンは、従来からある（たとえば、特許文献１）。ところが、従来のガスタービンは、圧力比が２０以上で運転する場合において、衝撃波損失によるタービン効率の低下を確実に防ぐことが考慮されていない。
【０００９】
【特許文献１】特開平１１−１０１１３１号公報
【発明の開示】
【発明が解決しようとする課題】
【００１０】
この発明が解決しようとする問題点は、従来のガスタービンでは、衝撃波損失によるタービン効率の低下を確実に防ぐことが考慮されていないという点にある。
【課題を解決するための手段】
【００１１】
この発明（請求項１に記載の発明）は、最終段静翼の流出角比である、チップ側流出角／ハブ側流出角が、０．８５以上であり、最終段動翼の流出側のボス比である、ハブ半径／チップ半径が、０．４以上０．６５以下である、ことを特徴とする。
【００１２】
また、この発明（請求項２に記載の発明）は、最終段の平均反動度が０．３以上０．６以下である、ことを特徴とする。
【００１３】
さらに、この発明（請求項３に記載の発明）は、最終段動翼の背面のスロートから後縁までの曲率である、ピッチ／スロートから後縁までの背面の曲率半径が、０以上０．１５以下である、ことを特徴とする。
【発明の効果】
【００１４】
この発明（請求項１に記載の発明）のガスタービンは、最終段静翼のチップ側の流出角をハブ側の流出角に対して大きくすることにより、最終段静翼のチップ側が最終段の圧力比の大部分を受け持ち、最終段動翼のチップ側の圧力比を小さくすることができる。このために、最終段動翼におけるマッハ数を小さく抑制することができ、衝撃波損失によるタービン効率の低下を確実に防ぐことができる。また、最終段静翼のハブ側の流出角をチップ側の流出角に対して小さくすることにより、最終段のハブ側の反動度（動翼の圧力比／段の圧力比）を大きくすることができる。このために、最終段静翼のチップ側の流出角をハブ側の流出角に対して大きくすることによって、最終段のチップ側の反動度が小さくなっても、タービン設計上、特に問題はない。
【００１５】
また、この発明（請求項１に記載の発明）のガスタービンは、最終段静翼の流出角比をパラメータとすることにより、タービン設計が簡便化される。
【００１６】
さらに、この発明（請求項１に記載の発明）のガスタービンは、最終段動翼の流出側ボス比（ハブ半径／チップ半径）を０．４〜０．６５の範囲に定めることにより、最終段静翼のゲージング比および最終段静翼の流出角比を適正に定めることができる。
【００１７】
さらにまた、この発明（請求項２に記載の発明）のガスタービンは、最終段の平均反動度を０．３〜０．６ｎ範囲に定めることにより、最終段の平均反動度を十分に保つことができ、タービン設計上、特に問題はない。
【００１８】
さらにまた、この発明（請求項３に記載の発明）のガスタービンは、最終段動翼の背面のスロートから後縁までの曲率（最終段動翼のピッチ／スロートから後縁までの背面の曲率半径）を０以上０．１５以下の範囲に定めることにより、最終段静翼のゲージング比および最終段静翼の流出角比を適正に定めることができる。
【発明を実施するための最良の形態】
【００１９】
以下、この発明にかかるガスタービンの実施例の７例を図１〜図６を参照して説明する。なお、この実施例によりこのガスタービンが限定されるものではない。
【実施例１】
【００２０】
図１（Ａ）および（Ｂ）は、この発明にかかるガスタービンの実施例１を示す。図中、図７〜図１０と同符号は同一のものを示す。
【００２１】
図１（Ａ）は、最終段の圧力測定の説明図である。図において、点Ｐ１は、最終段静翼４Ｃのチップ流入側における圧力測定点を示す。点Ｐ２は、最終段静翼４Ｃのチップ流出側および最終段動翼４Ｓのチップ流入側における圧力測定点を示す。点Ｐ３は、最終段動翼４Ｓのチップ流出側における圧力測定点を示す。点Ｐ４は、最終段静翼４Ｃのミーン流入側における圧力測定点を示す。点Ｐ５は、最終段静翼４Ｃのミーン流出側および最終段動翼４Ｓのミーン流入側における圧力測定点を示す。点Ｐ６は、最終段動翼４Ｓのミーン流出側における圧力測定点を示す。
【００２２】
図１（Ｂ）は、図１（Ａ）の圧力測定に基づいて作成した圧力比の説明図である。図において、ΔＰ４Ｓは、最終段動翼４Ｓのチップ側における圧力差すなわち圧力比を示す。ΔＰ４Ｓ′は、最終段動翼４Ｓのミーン側における圧力差すなわち圧力比（平均的な圧力比）を示す。ΔＰ４Ｃは、最終段静翼４Ｃのチップ側における圧力差すなわち圧力比を示す。ΔＰ４Ｃ′は、最終段静翼４Ｃのミーン側における圧力差すなわち圧力比（平均的な圧力比）を示す。ΔＰ４Ｃ、４Ｓは、最終段のチップ側における圧力差すなわち圧力比を示す。ΔＰ４Ｃ′、４Ｓ′は、最終段のミーン側における圧力差すなわち圧力比（平均的な圧力比）を示す。
【００２３】
この実施例１のガスタービンは、圧力比が２０以上（π≧２０）で運転するガスタービンにおいて、最終段動翼４Ｓのチップ側の圧力差が０．１５ＭＰａ以下（ΔＰ≦０．１５ＭＰａ）である。
【００２４】
この実施例１のガスタービンは、最終段動翼４Ｓのチップ側の圧力差ΔＰ、すなわち、図１（Ｂ）に示すように、最終段動翼４Ｓのチップ側の圧力比ΔＰ４Ｓを平均的圧力比ΔＰ４Ｓ´よりも小さくすることができる。この結果、最終段動翼４Ｓにおけるマッハ数を小さく抑制することができるので、圧力比が２０以上で運転するガスタービンにおいて、衝撃波損失によるタービン効率の低下を確実に防ぐことができる。
【実施例２】
【００２５】
図２および図３は、この発明にかかるガスタービンの実施例２を示す。図中、図１および図７〜図１０と同符号は同一のものを示す。
【００２６】
図２は、最終段の断面の説明図である。最終段静翼４Ｃは、前縁１０と、後縁１１と、前記前縁１０と前記後縁１１を結ぶ腹面１２および背面１３とから構成されている。図３は、最終段静翼のゲージング比を示す説明図である。
【００２７】
この実施例２のガスタービンは、最終段静翼４Ｃのゲージング比、すなわち、チップ側ゲージング／ハブ側ゲージングを０．９以下とする（チップ側ゲージング／ハブ側ゲージング≦０．９）。前記最終段静翼４Ｃのゲージングは、図３に示すように、チップ側からハブ側にかけて大きくなる。
【００２８】
前記ゲージングは、（スロート長ＣＯ／ピッチＣＳ）で求まる。スロート長ＣＯは、隣り合う最終段静翼４Ｃの後縁１１から背面１３までの最短距離を言う。ピッチＣＳは、隣り合う最終段静翼４Ｃの前縁１０間の距離、もしくは、後縁１１間の距離を言う。
【００２９】
この実施例２のガスタービンは、図３に示すように、最終段静翼４Ｃのチップ側のゲージングをハブ側のゲージングに対して小さくする。すなわち、最終段静翼４Ｃのチップ側のスロート長ＣＯをハブ側のスロート長ＣＯに対して小さくする。この結果、図１（Ｂ）に示すように、最終段静翼４Ｃのチップ側の圧力比ΔＰ４Ｃが最終段の圧力比ΔＰ４Ｃ、４Ｓの大部分を受け持ち、最終段動翼４Ｓのチップ側の圧力比ΔＰ４Ｓを平均的圧力比ΔＰ４Ｓ′よりも小さくすることができる。このために、最終段動翼４Ｓにおけるマッハ数を小さく抑制することができ、衝撃波損失によるタービン効率の低下を確実に防ぐことができる。
【００３０】
また、図３に示すように、最終段静翼４Ｃのハブ側のゲージングをチップ側のゲージングに対して大きくする。すなわち、最終段静翼４Ｃのハブ側のスロート長ＣＯをチップ側のスロート長ＣＯに対して大きくすることにより、前記のチップ側と逆となり、最終段のハブ側（図７中の一点鎖線にて囲まれた部分）の反動度（動翼の圧力比／段の圧力比）を大きくすることができる。このために、最終段のチップ側のゲージングをハブ側のゲージングに対して小さくすることによって、最終段のチップ側の反動度（動翼の圧力比ΔＰ４Ｓ／段の圧力比ΔＰ４Ｃ、４Ｓ）が小さくなっても、タービン設計上、特に問題はない。
【００３１】
また、この実施例２のガスタービンは、図３に示す最終段静翼４Ｃのゲージング比をパラメータとすることにより、タービン設計が簡便化される。
【実施例３】
【００３２】
この実施例３のガスタービンは、図２に示すように、最終段静翼４Ｃの流出角α２比（チップ側流出角／ハブ側流出角）を０．８５以上とする（チップ側流出角／ハブ側流出角≧０．８５）。
【００３３】
この実施例３のガスタービンは、前記実施例２のガスタービンと同様に、最終段静翼４Ｃのチップ側の流出角α２をハブ側の流出角α２に対して大きくする。この結果、図１（Ｂ）に示すように、最終段静翼４Ｃのチップ側の圧力比ΔＰ４Ｃが最終段の圧力比ΔＰ４Ｃ、４Ｓの大部分を受け持ち、最終段動翼４Ｓのチップ側の圧力比ΔＰ４Ｓを平均的圧力比ΔＰ４Ｓ′よりも小さくすることができる。このために、最終段動翼４Ｓにおけるマッハ数を小さく抑制することができ、衝撃波損失によるタービン効率の低下を確実に防ぐことができる。
【００３４】
また、最終段静翼４Ｃのハブ側の流出角α２をチップ側の流出角α２に対して小さくすることにより、前記のチップ側と逆となり、最終段のハブ側の反動度（動翼の圧力比／段の圧力比）を大きくすることができる。このために、最終段のチップ側の流出角α２をハブ側の流出角α２に対して大きくすることによって、最終段のチップ側の反動度（動翼の圧力比ΔＰ４Ｓ／段の圧力比ΔＰ４Ｃ、４Ｓ）が小さくなっても、タービン設計上、特に問題はない。
【００３５】
また、この実施例３のガスタービンは、前記実施例２のガスタービンと同様に、最終段静翼４Ｃの流出角α２比をパラメータとすることにより、タービン設計が簡便化される。
【実施例４】
【００３６】
実施例４のガスタービンは、最終段動翼４Ｓの流出側ボス比（ハブ半径Ｒ１／チップ半径Ｒ２）を０．４以上０．６５以下とする（０．４≦ハブ半径／チップ半径≦０．６５）。なお、ハブ半径Ｒ１およびチップ半径Ｒ２は図７を参照。
【００３７】
この実施例４のガスタービンは、最終段動翼４Ｓの流出側ボス比を０．４〜０．６５の範囲に定めるものである。この結果、前記実施例２のガスタービンの最終段静翼４Ｃのゲージング比および前記実施例３のガスタービンの最終段静翼４Ｃの流出角α２比を適正に定めることができる。
【実施例５】
【００３８】
実施例５のガスタービンは、最終段の平均反動度を０．３以上０．６以下とする（０．３≦反動度≦０．６）。
【００３９】
この実施例５のガスタービンは、最終段の平均反動度を０．３〜０．６の範囲に定めることにより、最終段の平均反動度を十分に保つことができ、タービン設計上、特に問題はない。
【実施例６】
【００４０】
実施例６のガスタービンは、図２に示すように、隣り合う最終段動翼４Ｓの背面６のスロートＳＯから後縁４までの曲率（最終段動翼４ＳのピッチＳＳ／スロートＳＯから後縁４までの背面６の曲率半径Ｓｅ）を０以上０．１５以下とする（０≦最終段動翼４ＳのピッチＳＳ／スロートＳＯから後縁４までの背面６の曲率半径Ｓｅ≦０．１５）。
【００４１】
この実施例６のガスタービンは、最終段動翼４Ｓの背面６のスロートＳＯから後縁６までの曲率を０以上０．１５以下の範囲に定めるものである。この結果、前記実施例２のガスタービンの最終段静翼４Ｃのゲージング比および前記実施例３のガスタービンの最終段静翼４Ｃの流出角α２比を適正に定めることができる。
【実施例７】
【００４２】
図４〜図６は、この発明にかかるガスタービンの実施例７を示す。図中、図１〜図３および図７〜図１０と同符号は同一のものを示す。
【００４３】
図において、１４は、ガスタービンの最終流出側と連通するディフューザ通路１５を形成するダクトである。このダクト１４は、たとえば、排ガスボイラー（図示せず）に接続されている。
【００４４】
前記ダクト１４のうち、ガスタービンに対向する端部から所定距離Ｌまでの部分のダクト壁１６を、ガスタービンの軸Ｏ−Ｏに対して平行にもしくは内側に絞る（０°≦θ≦５°）。
【００４５】
ここで、前記ダクト壁１６の距離Ｌは、最終段動翼４Ｓのチップ側の翼弦長Ｃの０．５倍以上３倍以下とする（０．５Ｃ≦Ｌ≦３Ｃ）。また、前記ダクト壁１６の下流側のダクト壁１７、１８、１９をたとえば２段階に折り曲げて従前のダクト（図４および図５中の二点鎖線にて示す）と同様の傾斜とする。
【００４６】
この実施例７のガスタービンは、ディフューザ通路１５のうち、平行もしくは内側に絞ったダクト壁１６における圧力（図４中の破線の円にて示す）が大きくなる。このために、前記ダクト壁１６と対向する最終段動翼４Ｓのチップ流出側の圧力Ｐ３が大きくなるので、最終段動翼４Ｓのチップ側における圧力比ΔＰ４Ｓが小さくなる。これにより、最終段動翼におけるマッハ数を小さく抑制することができ、衝撃波損失によるタービン効率の低下を確実に防ぐことができる。
【００４７】
また、最終段動翼４Ｓのハブ側の圧力比は、変わらないので、最終段のハブ側の反動度（動翼の圧力比／段の圧力比）は、変わらない。このために、最終段動翼４Ｓのチップ側における圧力比ΔＰ４Ｓが小さくなることによって、最終段のチップ側の反動度（動翼の圧力比ΔＰ４Ｓ／段の圧力比ΔＰ４Ｃ、４Ｓ）が小さくなっても、タービン設計上、特に問題はない。
【図面の簡単な説明】
【００４８】
【図１】この発明のガスタービンの実施例１〜７を示す圧力測定およびその圧力測定に基づく圧力比の説明図である。
【図２】最終段の断面の説明図である。
【図３】最終段静翼のゲージングの説明図である。
【図４】この発明のガスタービンの実施例７を示す一部断面図である。
【図５】同じく、一部拡大断面図である。
【図６】同じく、圧力比の説明図である。
【図７】一般のガスタービンを示す説明図である。
【図８】タービン最終段動翼の平均流出マッハ数と全圧損失係数との相対関係を示すグラフである。
【図９】図７におけるＩＸ−ＩＸ線断面図である。
【図１０】最終段動翼のチップ側の断面および最終段動翼のチップ側における翼表面マッハ数分布の説明図である。
【符号の説明】
【００４９】
１  ケーシング
２  ロータ
１Ｃ〜４Ｃ  静翼
１Ｓ〜４Ｓ  動翼
３  動翼の前縁
４  動翼の後縁
５  動翼の腹面
６  動翼の背面
７  衝撃波
８  境界層
１０  静翼の前縁
１１  静翼の後縁
１２  静翼の腹面
１３  静翼の背面
１４  ダクト
１５  ディフューザ通路
１６〜１９  ダクト壁
Ｐ１〜Ｐ６  圧力測定点
ΔＰ４Ｃ  最終段静翼のチップ側の圧力比
ΔＰ４Ｃ′  最終段静翼のミーン側の圧力比（平均的圧力比）
ΔＰ４Ｓ  最終段動翼のチップ側の圧力比
ΔＰ４Ｓ′  最終段動翼のミーン側の圧力比（平均的圧力比）
ΔＰ４Ｃ、４Ｓ  最終段のチップ側の圧力比
ΔＰ４Ｃ′、４Ｓ′  最終段のミーン側の圧力比（平均的な圧力比）
Ｒ１  ハブ側半径
Ｒ２  チップ側半径
ＣＯ  静翼のスロート長
ＣＳ  静翼のピッチ
α２  流出角
ＳＯ  動翼のスロート長
ＳＳ  動翼のピッチ
Ｓｅ  曲率半径
Ｃ  コード長
Ｌ  ダクト壁の距離
θ  ダクト壁の角度
Ｏ−Ｏ  ガスタービンの軸
【図１】
2006291975.tif 000003
【図２】
2006291975.tif 000004
【図３】
2006291975.tif 000005
【図４】
2006291975.tif 000006
【図５】
2006291975.tif 000007
【図６】
2006291975.tif 000008
【図７】
2006291975.tif 000009
【図８】
2006291975.tif 000010
【図９】
2006291975.tif 000011
【図１０】
2006291975.tif 000012